(57)【特許請求の範囲】
【請求項１】
利用者の識別データを読み取る入力装置を備え、服装規定の定められた管理区域に入場する利用者の服装を管理する管理区域利用者の管理システムにおいて、
管理区域に入場した後の利用者を撮像した入場後映像を取得する撮像装置と、
前記識別データと前記入場後映像とを結びつける利用者特定部と、
前記入場後映像に基づいて、前記利用者が前記服装規定を満たしているか否かを判定する服装判定部と、
前記服装判定部が前記服装規定を満たさないと判定した利用者の識別データに関連付けて、前記管理区域への次回以降の入場を禁止する通行権限を設定する通行権限設定部と、
前記通行権限に基づいて、当該管理区域への前記利用者の入場を許可又は禁止する通行制限部を更に備えることを特徴とする管理区域利用者の管理システム。
【請求項２】
前記入力装置は、前記管理区域の入口で前記識別データを読み取る機能を有し、
前記撮像装置は、前記管理区域の入口に居る利用者を撮像した入場時映像を取得する機能を有し、
前記利用者特定部、前記服装判定部、及び前記通行権限設定部は、前記入場後映像について実行した処理と同様の処理を前記入場時映像について実行する機能を有することを特徴とする請求項１に記載の管理区域利用者の管理システム。
【請求項３】
前記入力装置は、前記管理区域の出口で前記識別データを読み取る機能を有し、
前記撮像装置は、前記管理区域の出口に居る利用者を撮像した退場時映像を取得する機能を有し、
前記利用者特定部、前記服装判定部、及び前記通行権限設定部は、前記入場後映像について実行した処理と同様の処理を前記退場時映像について実行する機能を有することを特徴とする請求項１又は２に記載の管理区域利用者の管理システム。
【請求項４】
利用者の識別データを読み取る入力装置を備え、服装規定の定められた管理区域に入場する利用者の服装を管理する管理区域利用者の管理システムにおいて、
管理区域に入場した後の利用者を撮像した入場後映像を取得する撮像装置と、
前記識別データと前記入場後映像とを結びつける利用者特定部と、
前記入場後映像に基づいて、前記利用者が前記服装規定を満たしているか否かを判定する服装判定部と、
前記識別データと前記利用者が使用中の機器とを結びつけると共に、前記服装判定部が前記服装規定を満たさないと判定した場合に、当該判定の結果が前記利用者に知覚できるように前記機器を制御する利用機器特定部と、
を備えることを特徴とする管理区域利用者の管理システム。
【請求項５】
前記機器は、前記利用者が携帯する無線式の警報機を含み、
前記利用機器特定部が行う制御は、前記警報機に警報を発生させることである請求項４に記載の管理区域利用者の管理システム。
【請求項６】
前記機器は、前記管理区域で前記利用者が作業に用いている作業用機器を含み、
前記利用機器特定部が行う制御は、前記作業用機器を停止させることである請求項４又は５に記載の管理区域利用者の管理システム。
【請求項７】
前記識別データと、前記管理区域で前記利用者が作業に用いている作業用機器とを結びつける利用機器特定部と、
前記管理区域内に設置された作業用機器の夫々についての服装規定を記憶した機器データベースと、を備え、
前記服装判定部は、前記利用機器特定部の処理結果に基づいて、前記利用者が作業に用いている作業用機器を特定し、かつ、当該作業用機器について前記機器データベースが記憶している服装規定が満たされているか否かを判定することを特徴とする請求項１から６の何れか１項に記載の管理区域利用者の管理システム。
【請求項８】
前記入力装置は、前記作業用機器の夫々について設置された機器別装置を含み、
前記利用機器特定部は、前記利用者の識別データが何れの機器別装置によって読み取られたかに基づいて、当該識別データと前記作業用機器とを結びつけることを特徴とする請求項７に記載の管理区域利用者の管理システム。
【請求項９】
前記利用機器特定部は、前記入場後映像が撮像された管理区域内の位置に基づいて、前記識別データと前記作業用機器とを結びつけることを特徴とする請求項７に記載の管理区域利用者の管理システム。
【請求項１０】
前記機器データベースは、前記作業用機器の夫々について利用者登録された識別データの情報を記憶しており、
前記利用機器特定部は、当該利用者登録の情報に基づいて、前記識別データと前記作業用機器とを結びつけることを特徴とする請求項７に記載の管理区域利用者の管理システム。
【発明の詳細な説明】
【技術分野】
【０００１】
この発明は、管理区域利用者の管理システムに係り、特に、服装規定の定められた管理区域内での利用者の服装を管理するのに好適な管理システムに関する。
【背景技術】
【０００２】
特許文献１には、飲食店の厨房に出入りする従業員の身なりを監視するための管理システムが開示されている。このシステムは、厨房の出入り口付近に、ＩＤカード読取装置と画像撮像装置を備えている。厨房に入室しようとする従業員は、所持しているＩＤカードを読み取り装置にかざしてＩＤ認証を試みる。ＩＤが認証されると、システムは、画像撮像装置で取得した従業員の身なりが服装規定を満たしているか否かを判断する。そして、従業員の身なりが規定を満たしていれば入口のドアが開かれる。他方、身なりが規定を満たしていなければ、従業員に対して警報が発せられる。【０００３】
以上の処理によれば、服装規定を満たさない従業員が厨房に入室するのを防ぐことができる。また、従業員に対して、服装規定を満たしていなければ厨房に入室することができない、という意識を植え付けることができる。このため、このシステムによれば、厨房の衛生状態を良好に維持することができる。
【先行技術文献】
【特許文献】
【０００４】
【特許文献１】日本特開２００５−３０８６１号公報
【発明の概要】
【発明が解決しようとする課題】
【０００５】
ところで、服装規定が定められた管理区域に入場した利用者は、入場後に、規定を満たさない身なりとなることがある。例えば、長袖及びヘルメットの着用が義務付けられている場合に、暑さのために袖まくりをする、或いはヘルメットを外す等の行為が行われることがある。特許文献１に記載のシステムは、管理区域に入場する時点での利用者の服装は管理することができるものの、このような、入場後の服装の変化を管理し得るものではなかった。【０００６】
この発明は、上述のような課題を解決するためになされたもので、服装規定が定められた管理区域に入場した後の利用者の服装を管理することができる管理区域利用者の管理システムを提供することを目的とする。
【課題を解決するための手段】
【０００７】
第１の発明は、上記の目的を達成するため、利用者の識別データを読み取る入力装置を備え、服装規定の定められた管理区域に入場する利用者の服装を管理する管理区域利用者の管理システムにおいて、管理区域に入場した後の利用者を撮像した入場後映像を取得する撮像装置と、前記識別データと前記入場後映像とを結びつける利用者特定部と、前記入場後映像に基づいて、前記利用者が前記服装規定を満たしているか否かを判定する服装判定部と、前記服装判定部が前記服装規定を満たさないと判定した利用者の識別データに関連付けて、前記管理区域への次回以降の入場を禁止する通行権限を設定する通行権限設定部と、前記通行権限に基づいて、当該管理区域への前記利用者の入場を許可又は禁止する通行制限部を更に備えることを特徴とする。【０００８】
また、第２の発明は、上記の目的を達成するため、利用者の識別データを読み取る入力装置を備え、服装規定の定められた管理区域に入場する利用者の服装を管理する管理区域利用者の管理システムにおいて、管理区域に入場した後の利用者を撮像した入場後映像を取得する撮像装置と、前記識別データと前記入場後映像とを結びつける利用者特定部と、前記入場後映像に基づいて、前記利用者が前記服装規定を満たしているか否かを判定する服装判定部と、前記識別データと前記利用者が使用中の機器とを結びつけると共に、前記服装判定部が前記服装規定を満たさないと判定した場合に、当該判定の結果が前記利用者に知覚できるように前記機器を制御する利用機器特定部と、を備えることを特徴とする。
【発明の効果】
【０００９】
第１の発明によれば、入力装置によって読み取られた識別データと、撮像装置によって取得された入場後映像は、利用者特定部によって結び付けられる。このため、服装判定部は、入場後映像が服装規定を満たしているか否かを判断することで、管理領域への入場後に利用者が服装規定を満たしているか否かを判断することができる。そして、本発明によれば、管理区域に入場した後に利用者が服装規定を満たさない身なりとなれば、通行権限設定部によって、その利用者の識別データと関連付けて、次回の入場を禁止する通行権限が設定される。この場合、次回その利用者が管理区域に入場しようとした際に、通行制限部によってその入場が禁止される。このため、本発明によれば、管理区域に入場した後は正規の身なりを維持しなくてもよいと考える利用者を管理区域から排除することができる。また、本発明によれば、管理区域に入場した後も正規の身なりを維持する必要があるという意識を利用者に植え付けることができる。その結果、この発明によれば、管理区域における安全性を高め、かつ、管理区域で生成される成果物の品質を高めることができる。【００１０】
第２の発明によれば、第１の発明の場合と同様に、服装判定部は、管理領域への入場後に利用者が服装規定を満たしているか否かを判断することができる。そして、本発明によれば、管理区域に入場した後の利用者が服装規定を満たさない身なりとなれば、利用機器特定部に制御された機器により、その事実の知覚が利用者に促される。このため、本発明によれば、第１の発明の場合と同様に、管理区域への入場後の服装意識の低い利用者を管理区域から排除することができ、かつ、その利用者に意識の改善を促すことができる。このため、この発明によっても、第１の発明の場合と同様に、管理区域における安全性を高め、かつ、管理区域で生成される成果物の品質を高めることができる。
【図面の簡単な説明】
【００１１】
【図１】本発明の実施の形態１の管理システムの全体構成を示す図である。
【図２】図１に示す処理装置が備えるハードウェア構成の主要部を説明するための図である。
【図３】図１に示す利用者データベースの構成を説明するための図である。
【図４】図１に示す管理システムで実行される処理の流れを説明するためのフローチャートである。
【図５】本発明の実施の形態２の管理システムの全体構成を示す図である。
【図６】図５に示す機器データベースの構成を説明するための図である。
【図７】図５に示す管理システムで実行される処理の流れを説明するためのフローチャートである。
【発明を実施するための形態】
【００１２】
実施の形態１．
［実施の形態１の構成］
図１は、本発明の実施の形態１の管理システムの全体構成を示す図である。本実施形態の管理システムは、服装規定の定められた管理区域を利用する利用者の服装を管理するためのシステムである。この管理システムには管理区域の利用者６００が所持するべきカード１００が含まれる。カード１００は、ＩＤ保持部１１０を備えている。ＩＤ保持部１１０には、カード１００を所有する利用者６００に特有なＩＤ情報が記録されている。図１は、その利用者６００に「１２３」のＩＤが割り振られた例を示している。
【００１３】
本実施形態の管理システムには、カード１００に記録されているＩＤ情報を読み取るための入力装置２００が含まれている。入力装置２００は、管理区域の出入口に設置されている。入力装置２００には、送信部２１０と読取部２２０が組み込まれている。読取部２２０は、カード１００が入力装置２００に翳されると、そこに記録されているＩＤ情報を無線通信により読み取る機能を有している。送信部２１０は、読取部２２０が読み取ったＩＤ情報を無線又は有線の経路で後述する処理装置４００に送信することができる。
【００１４】
管理区域の出入口には、入力装置２００と共に撮像装置３００が設置されている。撮像装置３００は、管理区域の出入口でＩＤ認証の作業をしている利用者の映像を撮影することができる。以下、この映像を「入場時映像」と称す。撮像装置３００が取得した入場時映像は、ＩＤ情報と同様に処理装置４００に送信される。
【００１５】
図２は、処理装置４００の主要部のハードウェア構成を示す。処理装置４００の各機能は、処理回路により実現し得る。処理回路は、少なくとも１つのプロセッサ４０２と少なくとも１つのメモリ４０４とを備える。処理回路は、プロセッサ４０２及びメモリ４０４と共に、或いはそれらの代用として、少なくとも１つの専用のハードウェア４０６を備えてもよい。
【００１６】
処理回路がプロセッサ４０２とメモリ４０４とを備える場合、処理装置４００の各機能は、ソフトウェア、ファームウェア、又はソフトウェアとファームウェアとの組み合わせで実現される。ソフトウェア及びファームウェアの少なくとも一方は、プログラムとして記述される。そのプログラムはメモリ４０４に格納される。プロセッサ４０２は、メモリ４０４に記憶されたプログラムを読み出して実行することにより、処理装置４００の各機能を実現する。
【００１７】
プロセッサ４０２は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ４０４は、例えば、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等により構成される。
【００１８】
処理回路が専用のハードウェア４０６を備える場合、処理回路は、例えば、単一回路、複合回路、プログラム化したプロセッサ、並列プログラム化したプロセッサ、ＡＳＩＣ、ＦＰＧＡ、又はこれらの組み合わせで実現される。
【００１９】
処理装置４００の各機能は、それぞれ処理回路で実現することができる。或いは、処理装置４００の各機能は、まとめて処理回路で実現することもできる。処理装置４００の各機能について、一部を専用のハードウェア４０６で実現し、他部をソフトウェア又はファームウェアで実現してもよい。このように、処理回路は、ハードウェア４０６、ソフトウェア、ファームウェア、又はこれらの組み合わせで処理装置４００の各機能を実現する。
【００２０】
再び図１を参照して処理装置４００の構成を機能の面から説明する。処理装置４００は、利用者特定部４１０を備えている。利用者特定部４１０には、利用者が管理区域に入場しようとする際に、入力装置２００からＩＤ情報が提供されると共に、撮像装置３００から入場時映像が提供される。利用者特定部４１０は、それら両者を関連付けることにより、利用者の入場時映像とその利用者のＩＤとを結びつける。
【００２１】
処理装置４００は、服装判定部４２０を有している。本実施形態では、管理区域について服装規定が定められている。例えば、管理区域が、落下物、突起物等への注意を払うべき場所であればヘルメットの着用が規定される。また、肌の露出を避けるべき場所であれば長袖衣類の着用が規定される。更に、衛生面に配慮する必要がある場合には、帽子及び手袋の着用が規定される。服装判定部４２０は、利用者特定部４１０に提供される入場時映像に基づいて、利用者の身なりが、管理区域について定められている服装規定を満たしているか否かを判断する機能を有している。
【００２２】
処理装置４００は更に、通行権限設定部４３０を備えている。通行権限設定部４３０は、利用者特定部４１０に提供されたＩＤについて、管理区域への入場を認める通行権限が設定されているか否かを判定する。そして、その通行権限が入場を認めるものであり、かつ、利用者の入場時映像が服装規定を満たしている場合に、その利用者の管理区域への入場を許可する。更に、通行権限設定部４３０は、上記の入場可否の判断に応じて、利用者のＩＤについての次回以降の通行権限を更新する。以下、次回以降の通行権限を「次回通行」と称する。
【００２３】
処理装置４００は、利用者データベース４４０を備えている。上述した利用者特定部４１０、服装判定部４２０、及び通行権限設定部４３０は、利用者データベース４４０にアクセスし、必要に応じてそこに記録されているデータを読み出し、また書き換えることができる。
【００２４】
図３は、利用者データベース４４０に記録されているデータの一部を示す。図３に示すように、利用者データベース４４０には、利用者毎にＩＤ、氏名、通行権限、次回の通行権限、及び管理領域での服装規定が記録されている。例えば、利用者「山田太郎」については、ＩＤとして「１２３」、今回の「通行権限」及び「次回通行」として「可能」、服装規定として「作業着＋ヘルメット」が記録されている。
【００２５】
山田太郎氏が利用者６００として入力装置２００にカード１００を翳した場合、処理装置の各部では、それぞれ下記の処理が行われる。
＜利用者特定部４１０＞
（１）入力装置２００からＩＤ「１２３」を読み込む。
（２）ＩＤ読み込みの際に撮像装置３００が撮影していた映像を入場時映像として取得。
（３）ＩＤ「１２３」と入場時映像とを結び付け。
＜服装判定部４２０＞
（１）ＩＤ「１２３」に対応する服装規定を利用者データベース４４０から読み出す。
（２）ＩＤ「１２３」と結び付く入場時映像が、その服装規定を満たすか否かを判断。
＜通行権限設定部４３０＞
（１）ＩＤ「１２３」が利用者データベース４４０に登録されているか否かを判断。
（２）ＩＤが登録されていると認められた場合は、そのＩＤ「１２３」について服装判定部４２０が服装規定を満たすと判断しているか否かを判断。
（３）上記（１）及び（２）の双方が肯定される場合は「通行権限」に「可能」を設定。何れかの判断が否定された場合は「通行権限」及び「次回通行」の双方に「不可」を設定。
【００２６】
本実施形態における処理装置４００は、通行装置５００を備えている。通行装置５００は、管理区域への利用者の通行を許可又は禁止するための通行制限部５１０を備えている。通行制限部５１０は、例えば自動開平式のドアにより実現することができる。通行制限部５１０は、通行権限設定部４３０によるデータの更新後に、「通行権限」及び「次回通行」の双方が「可能」に設定されている場合に利用者の通行を許可する。そして、それらの双方又は何れかが「不可」に設定されている場合は、利用者の通行を禁止する。
【００２７】
［実施の形態１における処理の流れ］
図４は、本実施形態において処理装置４００が実行する処理の流れを説明するためのフローチャートである。このルーチンでは、先ず、入力装置２００の読取部２２０がＩＤを取得したか否かが判別される（Ｓ１）。この処理は、ＩＤの取得が判定されるまで繰り返し実行される。
【００２８】
利用者６００が入力装置２００にカード１００を翳すと、上記Ｓ１の判定が肯定される。この場合、次に、入力装置２００に対してＩＤの送信が要求される（Ｓ２）。入力装置２００は、この指令を受けると、送信部２１０から処理装置４００に向けてＩＤを送信する。
【００２９】
処理装置４００は次に、撮像装置３００に向けて映像送信の指令を発する（Ｓ３）。撮像装置３００は、この指令を受けると、入力装置２００にカード１００を翳している利用者の映像を送信する。処理装置４００は、このようにして送信されてきた映像を、利用者６００の入場時映像として取得する。
【００３０】
処理装置４００は、次に、Ｓ２に起因して受信したＩＤと、Ｓ３に起因して取得した入場時映像とを関連付ける（Ｓ４）。
【００３１】
次いで、服装判定の処理が実行される（Ｓ５）。ここでは先ず、利用者６００のＩＤが利用者データベース４４０に登録されているか否かが判別される。ＩＤが登録されていなければ、そのままＳ６の処理に進む。ＩＤが登録されていた場合は、そのＩＤについて記録されている服装規定が読み出される。そして、入場時映像内の利用者６００が服装規定に規定される各アイテムを正しく装着しているか否かに基づいて服装判定が行われる（Ｓ６）。
【００３２】
処理装置４００は、利用者６００のＩＤが利用者データベース４４０に登録されており、かつ、入場時映像が服装規定を満たしていると判断できる場合は、服装ＯＫの判断を下す。一方、上記２つの判断のうち少なくとも一方が否定された場合は、服装ＮＧの判断が下される。
【００３３】
服装ＮＧの判断が下された場合は、利用者データベース４４０の「通行権限」の欄、及び「次回通行」の欄に、何れも「不可」が設定される（Ｓ１０）。次いで、通行装置５００に対して、利用者６００の通行不可が指令される（Ｓ１１）。この場合、通行装置５００は、利用者６００を管理区域に入場させない状態となる。
【００３４】
一方、上記Ｓ６において服装ＯＫの判断が下された場合は、利用者データベース４４０の「通行権限」の欄に「可能」が設定される（Ｓ７）。尚、「次回通行」の欄については既存の設定がそのまま維持される。
【００３５】
次に、利用者データベース４４０の「次回通行」に「可能」が設定されているか否かが判別される（Ｓ８）。「次回通行」の欄には、本ルーチン外でリセット処理がされない限り、前回以前のルーチンで設定された内容が維持されている。例えば、前回のルーチンで服装ＮＧの判定が下されていれば、Ｓ１０で設定された「不可」がそのまま維持されている。本ステップＳ８で「次回通行」に「不可」が設定されていると判別された場合は、以後Ｓ１１の処理により利用者６００の入場が禁止される。
【００３６】
他方、上記Ｓ８で「次回通行」に「可能」が設定されていると判別された場合は、通行装置５００に対して、利用者６００の通行可が指令される（Ｓ９）。この場合、通行装置５００は、管理区域への利用者６００の入場を許可する状態となる。
【００３７】
以上説明した通り、本実施形態の管理システムは、利用者６００の入場時映像が服装規定を満たしていない場合には、利用者６００の管理区域への入場を禁止する。更に、このような判断がなされた場合には、ルーチン外でリセット処理が行われない限り、管理区域への利用者６００の入場は、次回以降も禁止される。リセット処理は、例えば、利用者６００から申請を受けたシステム管理者等が「次回通行」を「可能」に更新することにより行うことができる。
【００３８】
このような管理システムによれば、利用者６００に、服装規定の遵守意識を強く植え付けることができる。引いては、管理区域内で服装規定に違反する利用者の数を顕著に減少させることができる。その結果、本実施形態の管理システムによれば、管理区域内の安全性を高めることができる。更には、管理区域内での服装遵守が徹底できるため、例えば、食品加工物への毛髪の混入等を防止し、作業に伴う成果物の品質を高めることができる。
【００３９】
［実施の形態１の変形例］
（入場後映像の利用）
ところで、上述した実施の形態１では、入場時映像の服装を「次回通行」に反映させることとしている。しかしながら、「次回通行」には、入場時映像の服装に代えて、或いは入場時映像の服装に加えて、入場後映像の服装を反映させることとしてもよい。具体的には、管理区域に入場した後の利用者６００の映像を入場後映像として取得し、入場後映像に基づく服装判定の結果を「次回通行」に反映させることとしてもよい。
【００４０】
入場後映像は、出入口に設置した上記の撮像装置３００で撮影しても良い。或いは、撮像装置３００に加えて、管理区域の内部を撮像する専用の撮像装置を設けてもよい。更に、入場後映像に基づく服装判定は、利用者６００が管理区域に入場した後一度だけ行うのではなく、定められた時間毎に繰り返し実行することとしてもよい。
【００４１】
入場後映像に基づいて服装判定を実行するためには、上記Ｓ４の処理と類似の処理、つまり入場後映像をＩＤと結び付ける処理が必要である。この処理は、例えば、図１に示すように、入力装置２００を管理区域の出入口に一つだけ配置する構成において実現することができる。
【００４２】
この場合、処理装置４００は、入場後映像を取得した時点で、そこに映し出されている利用者と同一の人物が撮影されている入場時映像を探し出す。そして、探し出した入場時映像に結び付けられているＩＤに、取得した入場後映像を結び付ける。
【００４３】
或いは、入力装置２００と異なる入力装置を、管理区域内に配置された作業用機器の夫々について設置してもよい。そして、作業用機器の使用に先立って機器毎の入力装置にカード１００を翳すことを利用者６００に義務付けてもよい。この場合、機器毎の入力装置が読み取ったＩＤと、その入力装置の位置で撮影された入場後映像とを結び付けることにより、上記の要求を満たすことができる。
【００４４】
入場後映像に基づく服装判定の結果は、利用者データベース４４０の「次回通行」に反映される。例えば、長袖の着用が義務付けられている利用者６００が管理区域内で腕まくりをした結果、入場後映像に基づいて服装ＮＧの判定が下されると、「次回通行」に「不可」が設定される。この場合、利用者６００は、リセット処理を申請しない限り次回以降管理区域に入場できなくなる。以上の機能によれば、管理区域への入場後に服装規定を遵守する意識を利用者６００に強く植え付けることができる。その結果、服装規定に違反する利用者の数を減らし、管理区域内の安全性を高め、成果物の品質を高めることができる。
【００４５】
尚、入場後映像は、利用者６００が管理区域に入場した後に撮影される。このため、入場後映像に基づく服装判定の結果は、利用者データベース４４０の「通行権限」には反映させなくてもよい。
【００４６】
（退場時映像の利用）
利用者データベース４４０の「次回通行」には、入場後映像の服装に加えて、退場時映像の服装を反映させることとしてもよい。具体的には、利用者６００が管理区域から退場する際の映像を退場時映像として取得し、退場時映像に基づく服装判定の結果を「次回通行」に反映させることとしてもよい。
【００４７】
退場時映像は、出入口に設置した撮像装置３００で撮影しても良い。或いは、撮像装置３００とは別に退場時の利用者６００を撮影する専用の撮像装置を設けてもよい。利用者６００には、退場時にも入力装置２００にカード１００を翳すことを義務付けてもよい。この場合、処理装置４００は、入場時映像の場合と同様に、利用者６００のＩＤと退場時映像を結びつけることができる。
【００４８】
但し、ＩＤと退場時映像を結び付ける手法はこれに限定されるものではない。例えば、処理装置４００は、管理区域から退場する利用者６００を捕らえた撮像装置３００の映像を退場時映像として取得することができる。処理装置４００は、退場時映像に映し出されている利用者と同一の人物が撮影されている入場時映像を探し出すことができる。そして、探し出した入場時映像に結び付けられているＩＤに、取得した退場時映像を結び付けることにより上記の要求を満たすことができる。
【００４９】
退場時映像を「次回通行」に反映させることとすると、例えば、長袖の着用が義務付けられている利用者６００が腕まくりをして管理区域を退出しようとすれば、「次回通行」に「不可」が設定される。この場合、利用者６００は、リセット処理を申請しない限り次回以降管理区域に入場できなくなる。以上の機能によれば、管理区域を退出するまで服装規定を遵守する意識を利用者６００に強く植え付けることができる。その結果、服装規定に違反する利用者の数を減らし、管理区域内の安全性を高め、成果物の品質を高めることができる。
【００５０】
尚、退場時映像は、入場後映像と同様に、利用者６００が管理区域に入場した後に撮影される。このため、退場時映像に基づく服装判定の結果は、利用者データベース４４０の「通行権限」には反映させなくてもよい。
【００５１】
（服装規定のバリエーション）
上述した実施の形態１では、服装規定を利用者毎に設定し、同一の利用者については管理区域内で一律にその服装規定を適用することとしている。しかしながら、個々の利用者の服装規定を決める手法は必ずしもこれに限定されるものではない。
【００５２】
例えば、服装規定は、作業用機器毎に設定することとしてもよい。利用者が管理区域内で使用している作業用機器は、（１）機器毎に入力装置を設置しておくこと、又は（２）入場後映像の撮影位置から機器を推定すること、により特定することができる。このため、作業用機器毎に服装規定を設定しておけば、使用中の機器に適した服装規定が満たされているか否かを判断することができる。この機能によれば、実施の形態１の場合に比して管理区域の安全性及び成果物の品質を更に高めることができる。
【００５３】
また、服装規定は、必ずしも利用者毎に設定しなくてもよい。具体的には、同一の管理区域については、全ての利用者について一律の服装規定を適用することとしてもよい。この場合、利用者毎に服装規定を特定する処理が不要になるため、実施の形態１の場合に比して処理を簡単化することができる。
【００５４】
（カードの代用等）
また、上述した実施の形態１では、利用者６００の識別データとしてカード１００からＩＤを読み取ることとしているが、識別データを取得する手法はこれに限定されるものではない。例えば、利用者６００に、カード１００に変えて、ＩＤを無線送信する機能を有するＩＣタグを所持させることとしてもよい。或いは、撮像装置３００によって撮影した利用者６００の顔を識別データとして取り扱い、生体認証を行うこととしてもよい。この点は、以下に説明する実施の形態２についても同様である。
【００５５】
また、上述した実施の形態１では、管理区域に、入口と出口を兼用する出入口を設けることとしている。しかしながら、これらは別個に設けても良い。この場合、入場時映像を撮影するための撮像装置と、退場時映像を撮影するための撮像装置は、別個に設けても良い。
【００５６】
実施の形態２．
［実施の形態２の構成］
次に、図５乃至図７を参照して本発明の実施の形態２について説明する。図５は、本発明の実施の形態２の管理システムの全体構成を示す図である。尚、図５において、図１に示す要素と同一又は対応するものについては、共通する符号を付してその説明を省略又は簡略する。
【００５７】
図５に示す管理システムにおいて、管理区域には、少なくとも１つの作業用機器が配置されている。本実施形態では、利用者のＩＤを読み取るための入力装置が、管理区域内に、個々の作業用機器に対応して設置されている。図５に示す入力装置２００は、本実施形態の管理システムが備える入力装置のうちの一つである。
【００５８】
本実施形態において、撮像装置３００は、管理区域内に配置された個々の作業用機器を扱う利用者を撮像できるように構成されている。従って、本実施形態では、撮像装置３００により、個々の作業用機器の利用者の映像を入場後映像として撮影することができる。
【００５９】
本実施形態における処理装置４００は、機器データベース４５０を備えている。機器データベース４５０には、管理区域内に設置されている作業用機器毎に服装規定と、その機器を使用している利用者のＩＤが記録される。
【００６０】
図６は、機器データベース４５０に記録されている情報の一部を示す。例えば、工作機Ａについては、正規の服装として「作業着＋ヘルメット」が、また、利用者ＩＤとして「１２３」が記録されている。
【００６１】
本実施形態における処理装置４００は更に、利用機器特定部４６０を備えている。利用機器特定部４６０は、利用者特定部４１０から提供される情報に基づいて、管理区域に入場した利用者の夫々について、使用中の作業用機器を特定する機能を有している。
【００６２】
即ち、本実施形態では、管理区域内で作業用機器を使用する利用者６００に、機器の起動に先立って入力装置２００にカード１００を翳すことが義務付けられている。入力装置２００は、カード１００からＩＤを読み取った際に、そのＩＤの情報と共に、対応する機器に特有の識別情報を処理装置４００に送信する。利用機器特定部４６０は、利用者特定部４１０を介してその情報を受信することで、利用者毎に、その利用者の利用機器を特定する。
【００６３】
図５には、処理装置４００と通信可能な機器７００が示されている。機器７００は、例えば、上述した作業用機器の何れかであり得る。或いは、機器７００は、利用者６００が携帯する無線式の警報機であり得る。機器７００は、処理装置４００から提供される指令を機器７００に反映させるための制御部７１０を有している。
【００６４】
［実施の形態２における処理の流れ］
図７は、本実施形態において処理装置４００が実行する処理の流れを説明するためのフローチャートである。このルーチンでは、先ず、何れかの機器７００に対応する入力装置２００がＩＤを取得したか否かが判別される（Ｓ５１）。この処理は、ＩＤの取得が判定されるまで繰り返し実行される。
【００６５】
ＩＤが取得されたと判別された場合は、入力装置２００に対して、ＩＤと、その入力装置２００に対応する機器の識別子の送信が要求される（Ｓ５２）。入力装置２００は、この指令を受けると、送信部２１０から処理装置４００に向けてそれらの情報を送信する。
【００６６】
次に、処理装置４００は、受信した識別子によって特定される撮像装置３００に対して映像送信を指令する（Ｓ５３）。撮像装置３００は、この指令を受けると、入力装置２００にカード１００を翳している利用者の映像を送信する。これにより処理装置４００は、機器７００を使用している利用者の入場後映像を取得する。
【００６７】
処理装置４００は、次に、Ｓ５２に起因して受信したＩＤと、Ｓ５３に起因して取得した入場時映像とを関連付ける（Ｓ５４）。
【００６８】
次いで、服装判定の処理が実行される（Ｓ５５）。ここでは先ず、機器データベース４５０にアクセスして、Ｓ５２で受信した識別子に対応する「正規服装」が読み出される。そして、入場後映像内の利用者６００が「正規服装」に規定されている各アイテムを正しく装着しているか否かに基づいて、服装判定が行われる（Ｓ５６）。
【００６９】
入場後映像が「正規服装」を満たしていると認められる場合は服装ＯＫと判断される。一方、「正規服装」が満たしていると認められない場合は服装ＮＧの判断が下される。
【００７０】
上記Ｓ５６で服装ＯＫの判断が下された場合は、図４に示すＳ７の場合と同様に「通行権限」が設定される（Ｓ５７）。続いて、機器７００の制御部７１０に「制御可」の指令が送信される（Ｓ５８）。これにより機器７００は、利用者６００にとって制御可能な状態となる（Ｓ５９）。
【００７１】
機器７００が作業用機器である場合、以後、利用者６００は、作業用機器を用いて所期の作業を行うことができる。機器７００が警報機である場合は、例えば、作業用機器が作動可能になったことを利用者６００にアナウンスすることとしてもよい。
【００７２】
服装ＮＧの判断が下された場合は、図４に示すＳ１０の場合と同様に「通行権限」及び「次回通行」が設定される（Ｓ６０）。続いて、機器７００の制御部７１０に「制御不可」の指令が送信される（Ｓ６１）。この場合、機器７００は、利用者６００が制御できない状態となる（Ｓ６２）。
【００７３】
例えば、機器７００が作業用機器である場合、Ｓ６２の処理により、作業用機器が強制停止の状態となる。また、機器７００が警報機である場合は、利用者６００に対して服装規定に違反していることを知覚させるための警報が発せられる。
【００７４】
以上説明した通り、本実施形態の管理システムは、利用者６００が管理区域内で服装規定を満たさない身なりになった場合に、その状態を利用者６００に知覚させることができる。このため、本実施形態の管理システムによれば、管理区域内での服装規定の遵守意識を利用者６００に強く植え付けることができる。
【００７５】
また、本実施形態の管理システムは、機器７００毎に定められた「正規服装」が満たされていない場合、作業用機器を強制停止させることができる。このシステムによれば、管理区域内の安全性を高め、また、作業用機器を用いた作業により得られるべき成果物の品質を高めることができる。
【００７６】
［実施の形態２の変形例］
（通行権限の利用）
上述した実施の形態２では、説明の便宜上、「通行権限」及び「次回通行」の活用方法を省略している。これらは、通行装置５００を設けて、実施の形態１の場合と同様に活用することができる。
【００７７】
（利用機器の特定）
上述した実施の形態２では、機器７００毎に入力装置２００を設置することで利用者６００が利用している機器７００の特定を可能としている。しかしながら、この特定を可能とする手法はこれに限定されるものではない。例えば、下記の手法で機器７００を特定することとしてもよい。
（１）実施の形態１の場合と同様に、出入口で入場時映像を撮影する。
（２）機器７００の利用が求められた際に、機器７００に対応する入場後映像として利用者６００の映像を取得する。
（３）入場時映像と入場後映像を照らし合わせて利用者６００を特定する。
（４）入場後映像に対応する機器７００を、その利用者６００の使用機器として特定する。
【００７８】
或いは、利用者６００に機器７００の利用登録を義務付けることとしてもよい。入場後映像に映し出されている利用者６００は、上記（３）の手法で特定することができる。そして、利用者登録が義務付けられていれば、その利用者６００が管理区域内で使用する機器７００を特定することができる。そして、利用者６００の入場後映像が、その機器７００の「正規服装」を満たさないと認められた場合に、その機器７００を「制御不可」とすれば、実施の形態２の場合と同様の効果を得ることができる。
【００７９】
（服装規定のバリエーション）
上述した実施の形態２では、機器７００毎に「正規服装」の規則を定めることとしている。しかしながら、服装規定を定める手法は必ずしもこれに限定されるものではない。例えば、服装規定は、同一の管理区域内で統一することとしてもよい。或いは、利用者６００毎に服装規定を定めることとしてもよい。
【符号の説明】
【００８０】
１００  カード；１１０  ＩＤ保持部；２００  入力装置；２１０  送信部；２２０  読取部；３００  撮像装置；４００  処理装置；４１０  利用者特定部；４２０  服装判定部；４３０  通行権限設定部；４４０  利用者データベース；４５０  機器データベース；４６０  利用機器特定部；５００  通行装置；５１０  通行制限部；６００  利用者；７００  機器；７１０  制御部
【図１】
0006721122.tif 000002
【図２】
0006721122.tif 000003
【図３】
0006721122.tif 000004
【図４】
0006721122.tif 000005
【図５】
0006721122.tif 000006
【図６】
0006721122.tif 000007
【図７】
0006721122.tif 000008